(57)【要約】【課題】シェーディングシートの表面をガラス面に接触させた場合でも、シェーディング補正に悪影響を与えて画質が低下することを防止できる画像読取装置を提供する。【解決手段】シェーディングシート２８は白色素材で構成されるとともに、ガラス部材２６と接触する側の表面２８Ａには白色の塗装が施されている。そして、このシェーディングシート２８がガラス部材２６と接触するように設けられている。【選択図】      図３
2009213031.tif 000002
【特許請求の範囲】
【請求項１】
原稿が載置されるガラス部材と、前記ガラス部材に載置された原稿の内容を読み取る読取装置と、前記ガラス部材に接触するように設けられ前記読取装置によりシェーディング補正用データを検出するために読み取りが行われるシェーディングシートと、を有する画像読取装置であって、
前記シェーディングシートは、白色の素材で構成され、
前記シェーディングシートの少なくとも前記ガラス部材と接触する側の表面は、白色に塗装されていることを特徴とする画像読取装置。
【請求項２】
前記シェーディングシートの前記ガラス部材と接触する側と反対側の裏面には、前記ガラス部材に載置される原稿に関する情報が表示されていることを特徴とする請求項１に記載の画像読取装置。
【発明の詳細な説明】
【技術分野】
【０００１】
本発明は、原稿が載置されるガラス部材と、ガラス部材に載置された原稿の内容を読み取る読取装置と、ガラス部材に接触するように設けられ読取装置によりシェーディング補正用データを検出するために読み取りが行われるシェーディングシートと、を備えた画像読取装置に関する。
【背景技術】
【０００２】
従来の画像読取装置では、一般的に、読取デバイスの経時的性能変化あるいは光源の光量分布の補正を目的としてシェーディング補正を行うためのシェーディングシートを具備している。このシェーディングシートは、搬送される原稿に対して原稿載置台であるガラス面から離間し、かつガラス面に対向して配置されるものであり、読取装置により原稿読み取りの前にシート白地面が読み取られ、読取装置から白基準を補正するためのデータ（シェーディング補正用データ）が出力される（下記特許文献１参照）。
【０００３】
ここで、シェーディングシートは、白基準部材として白色の素材で構成されており、直接ガラス面に接触しないように構成されている。
【特許文献１】特開２００１−２４２５６３号公報
【特許文献２】特開平５−１９５６３号公報
【発明の開示】
【発明が解決しようとする課題】
【０００４】
ところで、原稿載置台上のＡＤＦ装置（Ａｕｔｏ  Ｄｏｃｕｍｅｎｔ  Ｆｅｅｄｅｒ：原稿自動送り装置）との干渉によって、原稿載置台上の高さ方向に十分な寸法を確保できず、シェーディングシートの表面を直接ガラス面に接触させなければならない場合もある。
【０００５】
しかしながら、シェーディングシートの表面を直接ガラス面に接触させた場合には、シェーディングシートの表面とガラス面との境界面に空気が介在することがある。かかる場合には、シェーディングシートの表面とガラス面との境界面には所定の模様（例えば、水玉模様）が発生し、適切なシェーディング補正ができなくなり（白基準がとれなくなり）、画質に悪影響を与えてしまう問題が生じる。
【０００６】
また、原稿載置台上の高さ方向に十分な寸法を確保できないことから、シェーディングシートの裏面（ガラス面側と反対側の面）にサイズガイド用の印刷が必要になる場合もある。このとき、その印刷色が透けて、白基準がとれなくなり、画質に悪影響を与えるおそれもある。
【０００７】
そこで、本発明は、シェーディングシートの表面をガラス面に接触させた場合でも、シェーディング補正に悪影響を与えて画質が低下することを防止できる画像読取装置を提供することを目的とする。
【０００８】
また、本発明は、シェーディングシートの裏面に所定の印刷を施した場合でも、その印刷色がシェーディング補正に悪影響を与えて画質が低下することを防止できる画像読取装置を提供することを目的とする。
【課題を解決するための手段】
【０００９】
本願第１発明は、原稿が載置されるガラス部材と、前記ガラス部材に載置された原稿の内容を読み取る読取装置と、前記ガラス部材に接触するように設けられ前記読取装置によりシェーディング補正用データを検出するために読み取りが行われるシェーディングシートと、を有する画像読取装置であって、前記シェーディングシートは、白色の素材で構成され、前記シェーディングシートの少なくとも前記ガラス部材と接触する側の表面は、白色に塗装されていることを特徴とする画像読取装置。
【００１０】
本願第１発明によれば、白色の素材で構成され、ガラス部材と接触する側の表面に白色の塗装が施されたシェーディングシートがガラス部材と接触するように設けられている。これにより、シェーディングシートがガラス部材と接触しているため、シェーディングシートの設置に必要なガラス部材上のスペースを削減できる。
【００１１】
また同時に、シェーディングシートは白色素材で構成されるとともに、ガラス部材と接触する側の表面には白色の塗装が施されているため、塗装膜が発生する。このため、シェーディングシートをガラス部材に圧着させた場合に、塗装膜が空気を排除することにより、シェーディングシートとガラス部材との境界面に空気が介在して（水玉）模様が発生することを防止できる。この結果、シェーディングシートをガラス部材に圧着させた場合でも、シェーディング補正に悪影響を与え、印字される用紙の画質が低下することを防止できる。
【００１２】
なお、シェーディングシートは白色の素材で構成され、かつその表面が白色に塗装されているため、白基準部材としての機能を発揮する。
【００１３】
本願第２発明は、本願第１発明に記載の画像読取装置において、前記シェーディングシートの前記ガラス部材と接触する側と反対側の裏面には、前記ガラス部材に載置される原稿に関する情報が表示されていることを特徴とする。
【００１４】
本願第２発明によれば、シェーディングシートのガラス部材と接触する側と反対側の裏面には、ガラス部材に載置される原稿に関する情報が表示されているため、その情報を視認することにより、原稿をガラス部材の適切位置にセットする作業が容易かつ円滑になる。
【００１５】
特に、シェーディングシートのガラス部材と接触する側と反対側の裏面にガラス部材に載置される原稿に関する情報が表示されていても、シェーディングシートの表面の塗装膜が隠蔽力を高めるため、その表示がシェーディングシートの表面側に透過することを防止できる。これにより、シェーディングシートの裏面側の原稿に関する情報の表示がシェーディング補正に悪影響を与えて画質が低下することを防止できる。
【発明の効果】
【００１６】
本発明によれば、シェーディングシートの表面をガラス面に接触させた場合でも、シェーディング補正に悪影響を与えて画質が低下することを防止できる。
【００１７】
また、シェーディングシートの裏面に所定の印刷を施した場合でも、その印刷色がシェーディング補正に悪影響を与えて画質が低下することを防止できる。
【発明を実施するための最良の形態】
【００１８】
次に、本発明の第１実施形態に係る画像読取装置について、図面を参照して説明する。なお、本実施形態の画像読取装置には、スキャナ機能の他に、プリンタ機能が兼備されている。
【００１９】
図１に示すように、画像読取装置１０は、筐体本体１２を備えている。この筐体本体１２の内部には、用紙に所定の画像を形成するための画像形成部１４が配置されている。筐体本体１２の上部には、筐体上部１６が設けられている。筐体上部１６の内部には、セットした原稿の画像を読み取る画像読取部１８が設けられている。ここで、図２に示すように、画像読取部１８は、光源２０と、光源２０からシェーディングシート２８又は原稿に照射されて反射した光を反射させながら後述の読取装置２２に導くための複数の反射鏡２４と、複数の反射鏡２４で反射された光を受光し原稿の内容又はシェーディング補正用データを検出する読取装置２２と、を有している。
【００２０】
また、図３に示すように、筐体上部１６の上面には、原稿を載せるガラス部材２６が配置されている。ガラス部材２６の一方側端部には、シェーディングシート２８が圧着されている。このシェーディングシート２８は、白色の素材で構成されており、シェーディングシート２８のガラス部材２６と接触する表面２８Ａ及び裏面２８Ｂには、白色の塗装が施されている。さらに、シェーディングシート２８のガラス部材２６と接触する表面２８Ａの反対側になる裏面２８Ｂには、原稿サイズや原稿セット位置などの原稿に関する情報が表示された原稿情報表示部３１が印刷されている。このように、シェーディングシート２８は、ガラス部材２６と接触しており、ガラス部材２６との間に隙間が存在しない。
【００２１】
また、筐体上部１６には、押さえ部材３０が設けられている。この押さえ部材３０は、筐体上部１６に固着具３２などにより取り付けられる取付部３４と、筐体上部１６から上方に突出する突出部３６と、を有している。この突出部３６の底面３８は、ガラス部材２６上に位置するシェーディングシート２８の裏面２８Ｂ及び原稿情報表示部３１の一部と接触し、かつシェーディングシート２８をガラス部材２６に対して押圧している。これにより、接着剤又は粘着テープなどを用いずに、シェーディングシート２８をガラス部材２６上に固定させておくことができる。
【００２２】
ここで、シェーディングシート２８の裏面２８Ｂ及び原稿情報表示部３１上であって突出部３６の底面３８と接触しない部位には、押さえ部材３０の一部が位置していない。すなわち、従来の押さえ部材は、シェーディングシートの裏面全域にわたって設けられているが、本実施形態の押さえ部材３０は、シェーディングシート２８の裏面２８Ａ上方の部位を大きく削って取り除き、シェーディングシート２８を押圧できる必要最小限の体積となる突出部３６のみが形成されている。このため、押さえ部材３０の一部を削った分だけ、シェーディングシート２８の裏面２８Ｂ上方にスペースＳを形成できる。そして、原稿押えカバー４２でガラス部材２６を閉塞した場合には、この捻出したスペースＳにＡＤＦ装置４４の一構成部が位置することになり、押さえ部材３０とＡＤＦ装置４４とが干渉することを防止できる。また、シェーディングシート２８とＡＤＦ装置４４とが干渉することも防止できる。この結果、従来必要としていた押さえ部材のさらに上方のスペースが不要となるため、画像読取装置１０の高さ方向の寸法を小さくでき、ひいては画像読取装置１０を小型化できる。
【００２３】
また、図１に示すように、筐体上部１６には、画像形成に関する動作を入力するための操作部４０が設けられている。また、筐体上部１６には、ガラス部材２６を開放又は閉塞する原稿押さえカバー４２が取り付けられている。この原稿押さえカバー４２は、所定の第１軸の軸回りに回動可能となるように設けられている。また、原稿押さえカバー４２の上面には、原稿を所定の読取部位に送るためのＡＤＦ装置（Ａｕｔｏ  Ｄｏｃｕｍｅｎｔ  Ｆｅｅｄｅｒ：原稿自動送り装置）４４が設けられている。また、ＡＤＦ装置４４には、ＡＤＦ装置４４に供給する原稿を載せるための原稿トレイ（図示省略）が接続されている。この原稿トレイは、所定の第２軸の軸回りに回動可能に構成されている。
【００２４】
また、筐体本体１２の底部には、筐体下部４６が設けられている。この筐体下部４６には、複数の用紙収容カセット４８、５０が引き出し可能に設けられている。
【００２５】
次に、第１実施形態に係る画像読取装置１０の作用について説明する。
【００２６】
図２及び図３に示すように、シェーディングシート２８は、白色の素材で構成され、ガラス部材２６と接触する側の表面２８Ａとその反対側の裏面２８Ｂには白色の塗装が施されている。このため、シェーディングシート２８の表面２８Ａ及び裏面２８Ｂには、所定厚さの塗装膜が形成されている。このシェーディングシート２８は、表面２８Ａ側がガラス部材２６と接触するように設けられている。このように、シェーディングシート２８がガラス部材２６と直接接触しているため、シェーディングシート２８とガラス部材２６との間に隙間が形成されることがない。この結果、ガラス部材２６上に、不要に形成されるスペースを削減できる。
【００２７】
また同時に、シェーディングシート２８は白色素材で構成されるとともに、白色の塗装が施されているため、塗装膜が発生する。このため、シェーディングシート２８をガラス部材２６に圧着させた場合に、シェーディングシート２８とガラス部材２６との境界面に空気が介在して（水玉）模様が発生することを防止できる。この結果、シェーディングシート２８をガラス部材２６に圧着させた場合でも、シェーディング補正に悪影響を与え、印字される用紙の画質が低下することを防止できる。
【００２８】
ここで、シェーディングシート２８のガラス部材２６と接触する表面２８Ａ側と反対側の裏面２８Ｂには、ガラス部材２６に載置される原稿に関する情報（原稿サイズのガイド表示、原稿設定位置の表示など）を示した原稿情報表示部３１が表示されているため、原稿をガラス部材２６の適切な位置にセットする作業が円滑になる。特に、シェーディングシート２８の裏面２８Ｂにガラス部材２６に載置される原稿に関する情報が印刷されていても、シェーディングシート２８の表面２８Ａの塗装膜で隠蔽力を高めることができるため、その印刷色がシェーディングシート２８の表面２８Ａ側に透過することを防止できる。これにより、シェーディングシート２８の裏面２８Ｂに印刷された原稿情報表示部３１がシェーディング補正に悪影響を与えて画質が低下することを防止できる。
【図面の簡単な説明】
【００２９】
【図１】本発明の第１実施形態に係る画像読取装置の斜視図である。
【図２】本発明の第１実施形態に係る画像読取装置の画像読取部の内部の構成を示した図である。
【図３】本発明の第１実施形態に係る画像読取装置の原稿載置台であるガラス部材にシェーディングシートが設けられた状態を示した部分拡大図である。
【符号の説明】
【００３０】
１０      画像読取装置
１６      筐体上部（筐体）
２２      読取装置
２６      ガラス部材
２８      シェーディングシート
【図１】
2009213031.tif 000003
【図２】
2009213031.tif 000004
【図３】
2009213031.tif 000005